(57)【要約】【課題】電子制御アクチュエータに於ける振動等の外乱による制御発散を抑制することができるターボチャージャーの可変ノズル制御装置を提供する。【解決手段】出力軸１５の実角度信号と目標角度信号を比較する比較手段１６からの指示信号をＰＩ演算処理するＰＩ演算手段１８と、このＰＩ演算手段１８からの出力信号を減算手段２４を介してモータ駆動手段２０に供給するモータ駆動ロジック生成手段１９と、モータ駆動手段２０の出力信号により駆動するモータ部２１からの出力信号により、モータ部２１のモータ回転の角速度を検出する角速度検出手段２５と、この角速度検出手段２５からの出力信号により、モータ部２１のモータの回転速度の微分信号を算出し、この微分信号を減算手段２４に供給する微分信号発生手段２６とを備える。【選択図】図２
2007107429.tif 000002
【特許請求の範囲】
【請求項１】
可変ノズルを持つターボチャージャーを備えたエンジンに設けられた複数のセンサからの検出出力が入力され、前記各センサの検出出力でエンジンの運転状況を識別するエンジンＥＣＵからの制御信号によって前記ターボチャージャーの可変ノズルのベーンの開度を制御する電子制御アクチュエータを備えたターボチャージャーの可変ノズル制御装置において、前記電子制御アクチュエータは、駆動源となるモータ部と、このモータ部に減速機構を介して連結され前記ターボチャージャーの可変ノズルのベーンに連結された出力軸と、この出力軸の回転角度を検出して出力軸の実角度信号を出力する角度センサと、この実角度信号をベーン実開度信号に変換してエンジンＥＣＵへ送信する通信信号変換手段と、前記モータ部を駆動する駆動信号を出力するモータ駆動手段と、前記エンジンＥＣＵからの可変ノズルのベーンの開度指示情報を前記出力軸の目標角度信号に変換する角度信号変換手段と、前記角度信号変換手段からの目標角度信号及び前記角度センサからの実角度信号を比較して、この両信号の差に応じた指示信号を出力する比較手段と、この比較手段からの指示信号をＰＩ演算処理するＰＩ演算手段と、このＰＩ演算手段からの出力信号を減算手段を介して前記モータ駆動手段に供給するモータ駆動ロジック生成手段と、前記モータ部からの出力信号により、前記モータ部のモータ回転の角速度を検出する角速度検出手段と、前記角速度検出手段からの出力信号により、前記モータ部のモータの回転速度の微分信号を算出し、この微分信号を前記減算手段に供給する微分信号発生手段とを有したことを特徴とするターボチャージャーの可変ノズル制御装置。
【発明の詳細な説明】
【技術分野】
【０００１】
本発明は、自動車に搭載されたターボチャージャーの可変ノズルのベーンの開度をエンジンＥＣＵからの制御信号によって、電子制御アクチュエータで制御するターボチャージャーの可変ノズル制御装置に関するものである。
【背景技術】
【０００２】
従来、この種の技術に於ける一例としては特開２００１−１０７７３８号に開示された内燃機関の可変ノズルターボチャージャー制御装置があり、図３に、その構成を示している。
これについて説明すれば、１はターボチャージャーであって、センターハウジング、コンプレッサハウジング及びタービンハウジングを備えている。
前記ターボチャージャー１には、空気が導入される吸気入口１ａと、ターボチャージャー１によって圧縮された空気をエンジン２に供給する圧縮空気供給孔１ｂとが設けられ、更に、エンジン２から排気が供給される排気ガス吸入口１ｃと、排気ガスを排出する排出口１ｄとが設けられている。前記ターボチャージャー１内に備えられた可変ノズル（開示せず）は、上記センターハウジングとタービンハウジングとの間に配設されている。３はステッピングモータであり、このステッピングモータ３の駆動により操作片４が操作され、可変ノズルに備えたリングプレートを同方向に押圧し、相互の可変ノズルのベーン間の隙間の大きさを調整し、タービンホイールへ吹き付けられる排気ガスの流速が調節される。５はエンジンのＥＣＵ（電子制御ユニット）であり、エンジンに設けられた各種のセンサの検出出力を入力し、これらの検出出力に基づいて、エンジンの運転状態を識別して上記ステッピングモータ３を駆動制御し、これによって、可変ノズルの各ノズルのベーンの開度を開閉制御し、タービンホイールへ吹き付けられる排気ガスの流速を調節し、併せて、燃焼のために強制的に送り込まれる空気の量も調整される。
【０００３】
図中、６はラジエタ−であって、エンジン２に接続され、エンジン２の冷却水が該ラジエター６を循環して冷却される。
そして、当該従来技術によれば、内燃機関の可変ノズルターボチャージャー制御装置の異常発生時又は冷間始動時、若しくはアイドル時には、可変ノズルの全開位置を可変ノズルの初期位置として設定することにより全開位置近傍での各ノズルベーンの位置制御を行なう内燃機関の可変ノズルターボチャージャー制御装置である。
【０００４】
また、従来の技術に於ける他の例としては、デューティソレノイドバルブを備え、アクチュエータ、例えば、負圧アクチュエータにより空気圧を調圧されてその開度が調整され、エンジンへの空気吸入量が調整される。そして、該デューティソレノイドバルブはエンジンの調圧室と、負圧室と、大気圧室との間に配置されエンジンＥＣＵから制御信号を受けて動作し、エンジンの負圧室にはバキュームポンプから負圧を受けて調整し、前記負圧アクチュエータを動作させる。前記負圧アクチュエータの動作により、ターボチャージャーに備えている排気ガスの流速を可変とするための可変ノズルの開度を制御する構成である。
【特許文献１】特開２００１−１０７７３８公開特許公報
【発明の開示】
【発明が解決しようとする課題】
【０００５】
前記特開２００１−１０７７３８の公開特許公報に係る従来の技術は、叙上したように、タービンホイールに吹き付けられる排気ガスの経路に操作片４によって動作する可変ノズルを設け、該可変ノズルをリングプレートによって開閉することにより、該排気ガスの流量を調節する内燃機関の可変ターボチャージャー制御装置に於いて、前記内燃機関の可変ノズルターボチャージャー制御装置の異常時、冷間始動時、若しくは内燃機関のアイドル時に、当該可変ノズルの初期位置を決定し可変ノズルのベーンの開度を制御する構成であり、また、該可変ノズルのベーンの駆動動作をステッピングモータ３の回転動作で行うという構成である。
【０００６】
而して、当該従来の技術によれば、可変ノズルの初期位置により画一的に可変ノズルのベーンの開度が特定かつ決定され、該ベーンの開度が目標開度よりずれた場合これを補正制御することができず、ノズルベーンの位置をリアルタイムかつ合理的に制御することが困難であった。
【０００７】
しかも、電子制御アクチュエータの出力軸は振動等の外乱因子を含んでおりこの出力軸による微分値の制御を行なうと外乱因子の影響から制御が発散し、又、微分利得を向上することができず所期の過渡特性を得ることができないという問題点があった。
【課題を解決するための手段】
【０００８】
本発明の目的は本システム又は装置に電子制御アクチュエータを備え、エンジンＥＣＵから制御信号線を介して、該電子制御アクチュエータを制御し、ターボチャージャーに有している可変ノズルのベーンの開度を制御し、当該電子制御アクチュエータによる可変ノズルのベーン開度目標位置を算出するのみで、可変ノズルのベーンの開度をリアルタイムかつ合理的に制御し可変ノズルのベーン実開度位置に適合かつコントロールさせることにより、可変ノズルのベーンの開度の適否の判定又は比較処理を自動的に行い、フィードバック信号による制御可能とする電子制御アクチュエータによる可変ノズルのベーンの開度を制御することにある。そして、モータ部のモータ回転の角速度を検出する角速度検出手段と、このモータ回転の角速度を基に算出されたモータ部のモータの回転速度の微分信号を算出し、この微分信号を減算手段に供給する微分信号発生手段を備え、その結果、外乱因子の影響の少ないモータ回転数に置き替えることが可能となり、モータ回転全域に於ける耐振動性の確保が出来る。
【０００９】
本発明は上述の目的を達成するために発明したものであり、次の構成、手段を備えている。
【００１０】
請求項１記載の発明は、可変ノズルを持つターボチャージャーを備えたエンジンに設けられた複数のセンサからの検出出力が入力され、前記各センサの検出出力でエンジンの運転状況を識別するエンジンＥＣＵからの制御信号によって前記ターボチャージャーの可変ノズルのベーンの開度を制御する電子制御アクチュエータを備えたターボチャージャーの可変ノズル制御装置において、前記電子制御アクチュエータは、駆動源となるモータ部と、このモータ部に減速機構を介して連結され前記ターボチャージャーの可変ノズルのベーンに連結された出力軸と、この出力軸の回転角度を検出して出力軸の実角度信号を出力する角度センサと、この実角度信号をベーン実開度信号に変換してエンジンＥＣＵへ送信する通信信号変換手段と、前記モータ部を駆動する駆動信号を出力するモータ駆動手段と、前記エンジンＥＣＵからの可変ノズルのベーンの開度指示情報を前記出力軸の目標角度信号に変換する角度信号変換手段と、前記角度信号変換手段からの目標角度信号及び前記角度センサからの実角度信号を比較して、この両信号の差に応じた指示信号を出力する比較手段と、この比較手段からの指示信号をＰＩ演算処理するＰＩ演算手段と、このＰＩ演算手段からの出力信号を減算手段を介して前記モータ駆動手段に供給するモータ駆動ロジック生成手段と、前記モータ部からの出力信号により、前記モータ部のモータ回転の角速度を検出する角速度検出手段と、前記角速度検出手段からの出力信号により、前記モータ部のモータの回転速度の微分信号を算出し、この微分信号を前記減算手段に供給する微分信号発生手段とを有したことを特徴とするターボチャージャーの可変ノズル制御装置である。
【発明の効果】
【００１１】
本発明に係るターボチャージャーの可変ノズル制御装置は、叙上の解決手段を有するので次のような効果がある。
【００１２】
請求項１の発明によれば、特に、外乱因子の影響の少ないモータ回転数より微分値を算出し、この値をＰＩＤ演算に用いることにより、振動等の外乱による制御発散を抑し、微分利得の向上を図り、耐振動性を向上させる効果がある。
【発明を実施するための最良の形態】
【００１３】
以下、本発明に係るターボチャージャーの可変ノズル制御装置に於ける実施の形態について、添付図面に基づき詳細に説明する。
【００１４】
図１は本発明に係る実施の形態を示す構成図である。これについて説明する。
８はターボチャージャーであって、エンジンへの吸入空気を過給するシステムであり、コンプレッサホイールを有するコンプレッサ及び該コンプレッサと同軸上にロータシャフトにより結合されて、排気ガスにて回転駆動される該ターボチャージャー８のタービンホイールを有するタービン（図示せず）が設けられている。該ターボチャージャー８の空気通路７にはエンジンの吸入空気の吸気圧力、つまり、ブースト圧を検出する圧力センサ９をホース１０を介して接続している。また、前記ターボチャージャー８のタービン内には、前記タービンホイールを取巻くように、可変ノズル部材が配置されている。
【００１５】
１１はエンジンＥＣＵであって、エンジンに設けられた各種センサ、例えばエンジン水温を検出するための水温センサ、エンジンの回転数を検出するためのものであって、一定のクランク角度でパルス信号を出力する回転数センサ、エアフローメーターによる吸入空気量やドライバーのアクセルペダルの踏込み操作量を検出して負荷量を算出するアクセルセンサからのそれぞれ水温信号、回転信号及び負荷信号つまり検出出力を導入する。
【００１６】
尚、図１には示していないが、その他、排気ガスの酸素濃度に応じて異なる電圧信号を出力する酸素センサ、エンジン燃焼室内の圧力を検出するための筒内圧センサを備えることもある。これらの検出出力に基づいてエンジンの運転状態を識別して、制御信号線１２を介して、電子制御アクチュエータ１３を駆動制御する。該電子制御アクチュエータ1３は、レバー１３ａ及びロッド１３ｂを連結しており、その動作により、ターボチャージャー８に備えた可変ノズル部材（図示せず）を制御する。
【００１７】
前記電子制御アクチュエータ１３は、前記制御信号線１２を介して前記エンジンＥＣＵ１１に接続されている。そして、エンジンＥＣＵ１１は各種のエンジンに備えたセンサからの情報（信号）によって演算処理制御を行う。
【００１８】
尚、前記電子制御アクチュエータ１３は、例えば、ターボチャージャー８に取付けられる。
【実施例】
【００１９】
次に、本発明に係るターボチャージャーの可変ノズル制御装置に於ける具体的な実施例について図２に基づき説明する。
【００２０】
図２は、本発明に係るターボチャージャーの可変ノズル制御装置に於ける実施例を示すブロック結線図である。これについて説明する。
【００２１】
前記電子制御アクチュエータ１３は、電子制御回路部Ａ１及び駆動部Ａ２を備えている。該電子制御回路部Ａ１は可変ノズルのベーンの指示開度信号を制御信号線１２を介して導入する角度信号変換手段１７と、出力軸１５の目標角度信号及び出力軸１５の実角度信号を比較する比較手段１６と、該比較手段１６からの出力信号を積分しかつ比例演算するＰＩ演算手段１８と、減算手段２４と、該ＰＩ演算手段１８の出力側に接続されるモータ駆動ロジック生成手段１９と、出力軸の実角度信号を検出し、かつベーン実開度信号に変換する通信信号変換手段２３とを有している。また、該駆動部Ａ２は該電子制御回路部Ａ１の前記モータ駆動ロジック生成手段１９の出力信号により動作するモータドライバ２０と、該モータドライバ２０の出力信号によって回動動作するモータ部２１と、該モータ部２１の回動速度を減速させる減速機構２２と、該減速機構２２に連結した電子制御アクチュエータ１３の出力軸１５と、該出力軸１５の回転角度を検出する角度センサ１４とを有している。また、前記モータ部２１からの出力信号によりモータ回転の角速度を検出する角速度検出手段２５と、該角速度検出手段２５からの出力信号によりモータ部のモータの回転速度の微分信号を算出し、この微分信号を前記減算手段に供給する微分信号発生手段２６とを有している。電子制御アクチュエータ１３の出力軸１５には、レバー１３ａの一端部が連結され、該レバー１３ａの他端部はロッド１３ｂの一端部に連結され、該ロッド１３ｂの他端部はターボチャージャー８の可変ノズルのベーン１３ｃに連結されている。
【００２２】
次に本発明に係るターボチャージャーの可変ノズル制御装置に於ける具体的な実施例の動作を説明する。
該駆動部Ａ２の出力側から角度センサ１４を介してその出力軸１５の実角度信号を該電子制御回路部Ａ１の比較手段１６にフィードバックしている。前記電子制御回路部Ａ１は、角度信号変換手段１７、比較手段１６、ＰＩ演算手段１８、減算手段２４、及びモータ駆動ロジック生成手段１９を順次接続し、エンジンの始動に基づき前記エンジンＥＣＵ１１からの種々の通信情報、特に、可変ノズルのベーン１３ｃの開度指示情報を制御信号線１２を経由して取込み、その情報若しくは信号を処理演算し、後段に配置した駆動部Ａ２に出力している。その出力信号により動作する該駆動部Ａ２は前記モータ駆動ロジック生成手段１９の出力信号により動作するモータ駆動手段としてのモータドライバ２０、駆動源としてのモータ部２１、減速機構２２、及び当該電子制御アクチュエータ１３の出力軸１５を備えて構成し、これらを順次動作させている。
【００２３】
而して、該出力軸１５の回転角度を角度センサ１４により出力軸１５の実角度信号を検出し、上記比較手段１６に導入すると共にベーン実開度信号に変換する通信信号変換手段２３を介してエンジンＥＣＵ１１に伝達している。ここで、出力軸１５の目標角度信号と出力軸１５の実角度信号を比較する前記比較手段１６の出力側に設けたＰＩ演算手段１８は、この比較手段１６の出力信号を積分かつ比例処理をして演算する。また、前記モータ部２１の一方出力側に角速度検出手段２５及び微分信号発生手段２６を順次接続構成している。
【００２４】
次に、上記電子制御アクチュエータ１３の出力は、レバー１３ａ、ロッド１３ｂを介して、ターボチャージャー８の可変ノズル部材に伝達され、該可変ノズル部材に備えた可変ノズルのベーン１３ｃの開度を制御する。このように本発明装置によれば、角度センサ１４により可変ノズルのベーン１３ｃに連結された出力軸１５の回転角度を検出して出力軸１５の実角度信号を出力し、角度信号変換手段１７によりエンジンＥＣＵ１１からの可変ノズルのベーン１３ｃの開度指示情報を出力軸１５の目標角度信号に変換し、この両信号を比較して該両信号の差に応じて、可変ノズルのベーン１３ｃを駆動して該ベーン１３ｃを目標開度に制御することが可能となるので、フィードバックによる制御が可能となるターボチャージャーの可変ノズル制御装置となる。
【００２５】
そして、電子制御アクチュエータ１３の出力軸１５に加わった外乱により発生した振動は、減速機構により減衰するためモータ部２１に伝達しない。このため、モータ部２１から角度検出手段２５により検出し演算されたモータ回転数は、外乱因子となる振動成分を殆ど含まない。よって、モータ回転数を微分値として用いる本制御では、振動の影響を殆ど受けることなく微分信号発生手段２６により振動が無いときの過渡特性に特化した適合が可能となる。
【図面の簡単な説明】
【００２６】
【図１】本発明に係るターボチャージャーの可変ノズル制御装置の好適な実施の形態を示す構成図である。
【図２】本発明に係るターボチャージャーの可変ノズル制御装置の具体的な実施例を示すブロック結線図である。
【図３】ターボチャージャーの可変ノズル制御装置の従来例を示す構成図である。
【符号の説明】
【００２７】
１      ターボチャージャー
１ａ    吸気入口
１ｂ    圧縮空気供給孔
１ｃ    排気ガス吸入口
１ｄ    排出口
２      エンジン
３      ステッピングモータ
４      操作片
５      エンジンＥＣＵ
６      ラジエター
７      空気通路
８      ターボチャージャー
８ａ    吸気通路
９      ステッピングモータ
１０    ホース
１１    エンジンＥＣＵ
１２    制御信号線
１３    電子制御アクチュエータ
１３ａ  レバー
１３ｂ  ロッド
１３ｃ  可変ノズルのベーン
１４    角度センサ
１５    出力軸
１６    比較手段
１７    角度信号変換手段
１８    ＰＩ演算手段
１９    モータ駆動ロジック生成手段
２０    モータダライバ（モータ駆動手段）
２１    モータ部
２２    減速機構
２３    通信信号変換手段
２４    減算手段
２５    角速度検出手段
２６    微分信号発生手段
Ａ１    電子制御回路部
Ａ２    駆動部
【図１】
2007107429.tif 000003
【図２】
2007107429.tif 000004
【図３】
2007107429.tif 000005